(57)【特許請求の範囲】
【請求項１】
コンピュータにより実行される、対象者の身体状況を判断するための方法であって、
ａ．所定の距離における前記対象者の歩行速度を測定し、測定値が予め定められた下限と予め定められた上限との間であるか否かを判定するステップと、
ｂ．前記ステップａにおいて、測定値が予め定められた下限と予め定められた上限との間であると判定された場合に、
ｂ１．前記対象者の栄養パラメータおよび身体持久力パラメータの分類システムを含むデータベースを用意するサブステップであって、該分類システムが、該パラメータの数値的に求められた値に該値の点数を関連付け、該点数にクラスを関連付け、該クラスに身体状況の表示を関連付ける、該サブステップと、
ｂ２．前記対象者の機能的身体試験により求められた前記パラメータの値を入力し、該値を使用して前記データベースに応じて前記栄養パラメータおよび前記身体持久力パラメータのそれぞれの値を採点するサブステップと、
ｂ３．得られた採点を用いて前記対象者を前記データベースに応じて各パラメータに関するクラスに分類するサブステップと、
ｂ４．各パラメータについて求められた前記クラスを用いて前記対象者の前記身体状況の表示を求め、前記対象者について前記身体状況の該表示を出力するサブステップと
を実行するステップと、
ｃ．前記ステップａにおいて、測定値が予め定められた下限と予め定められた上限との間でないと判定された場合に、前記サブステップｂ１〜ｂ４を実行しないステップと
を含む方法。
【請求項２】
前記対象者が高齢の対象者であり、好ましくは、６５歳を超える人間の対象者である、
請求項１に記載の方法。
【請求項３】
前記栄養パラメータが、簡易栄養状態評価表及び／又は１日の蛋白質摂取量の評価により評価される、請求項１または２に記載の方法。
【請求項４】
ステップａ〜ｃが２０分以内又は９０分以内に実行され、好ましくは、３０分未満で実行される、請求項１〜３のいずれか一項に記載の方法。
【請求項５】
ステップａ〜ｃが規定の間隔で反復され、好ましくは、８〜１６週間ごとに反復される、請求項１〜４のいずれか一項に記載の方法。
【請求項６】
コンピュータにより実行される、対象者の身体状況を向上させるための方法であって、
ａ．請求項１に記載の方法に従って対象者の身体状況を判断するステップと、
ｂ．求められた前記点数に基づいて、栄養及び身体持久力に関する推奨事項、並びにオプションで筋力に関する推奨事項を前記対象者に提供するステップであり、前記栄養が、身体状況を向上させる生物活性栄養素を含む、ステップと
を含む方法。
【請求項７】
前記身体持久力パラメータについて求められた前記クラスに基づいて、求められたクラスごとに異なる特定の運動プログラムを推奨する、請求項６に記載の方法。
【請求項８】
対象者の身体状況を判断する、コンピュータを備えるシステムであって、
前記コンピュータが、対象者の栄養パラメータ及び身体持久力パラメータの分類システムを含むデータベースを格納しており、該分類システムが、該パラメータの数値的に求められた値に該値の点数を関連付け、該点数にクラスを関連付け、該クラスに身体状況の表示を関連付け、
前記コンピュータが、
ａ．所定の距離における前記対象者の歩行速度を測定し、測定値が予め定められた下限と予め定められた上限との間であるか否かを判定するステップと、
ｂ．前記ステップａにおいて、測定値が予め定められた下限と予め定められた上限との間であると判定された場合に、
ｂ１．前記対象者の機能的身体試験により求められた前記パラメータの値を受領及び格納するサブステップと、
ｂ２．前記対象者の前記パラメータの値を使用して前記データベースに応じて前記栄養パラメータおよび前記身体持久力パラメータのそれぞれの値を採点するサブステップと、
ｂ３．得られた採点を用いて前記対象者を前記データベースに応じて各パラメータに関するクラスに分類するサブステップと、
ｂ４．各パラメータについて求められた前記クラスを用いて前記対象者の前記身体状況の表示を求め、前記対象者について前記身体状況の該表示を出力するサブステップと
を実行するステップと、
ｃ．前記ステップａにおいて、測定値が予め定められた下限と予め定められた上限との間でないと判定された場合に、前記サブステップｂ１〜ｂ４を実行しないステップと
を前記コンピュータに実行させる命令を含むソフトウェアプログラムを格納している、システム。
【請求項９】
対象者の身体状況の向上を促進する、コンピュータを備えるシステムであって、
前記コンピュータが、対象者の栄養パラメータ及び身体持久力パラメータの分類システムを含むデータベースを格納しており、該分類システムが、該パラメータの数値的に求められた値に該値の点数を関連付け、該点数にクラスを関連付け、該クラスに身体状況を関連付け、該身体状況に栄養運動プログラムに関する推奨事項を関連付け、
前記コンピュータが、
ａ．所定の距離における前記対象者の歩行速度を測定し、測定値が予め定められた下限と予め定められた上限との間であるか否かを判定するステップと、
ｂ．前記ステップａにおいて、測定値が予め定められた下限と予め定められた上限との間であると判定された場合に、
ｂ１．前記対象者の機能的身体試験により求められた前記パラメータの値を受領及び格納するサブステップと、
ｂ２．前記対象者の前記パラメータの値を使用して前記データベースに応じて前記栄養パラメータおよび前記身体持久力パラメータのそれぞれの値を採点するサブステップと、
ｂ３．得られた採点を用いて前記対象者を前記データベースに応じて各パラメータに関するクラスに分類するサブステップと、
ｂ４．各パラメータについて求められた前記クラスを用いて、栄養運動プログラムに関する前記対象者への推奨事項を関連付けるサブステップと、
ｂ５．前記推奨事項を出力するサブステップと
を実行するステップと、
ｃ．前記ステップａにおいて、測定値が予め定められた下限と予め定められた上限との間でないと判定された場合に、前記サブステップｂ１〜ｂ５を実行しないステップと
を前記コンピュータに実行させる命令を含むソフトウェアプログラムを格納している、システム。
【発明の詳細な説明】
【技術分野】
【０００１】
本発明は、栄養摂取及び持久力の評価及び助言に関する。
【背景技術】
【０００２】
ここ数十年で、西欧諸国及び日本では、人口における高齢者の数が増えている。これらの高齢者は、病弱で、支援に頼っていることが多い。しかし、虚弱の進展は必然的なものではない。高齢者に適切な助言と運動を与えることにより、負の進展の多くを防ぐことができる。したがって、高齢者が生活の質を高めるための十分な健康状態を維持又は達成できるように支援することが望ましい。
【発明の概要】
【発明が解決しようとする課題】
【０００３】
この問題に対する従来のアプローチは、栄養摂取や身体能力に関する個人間の潜在的に重要な違いを十分に考慮せずに、特定の集団に対する非個別化された一般的推奨事項を提供することを概して含んでいた。運動と特定の栄養素とを含む個別化されたアプローチのほうが、筋骨格の健康を強化するのに効率的である可能性が高い。そのような個別化された推奨事項は、対象者の栄養状態及び身体能力／状態の個別化された評価を行うことで、初めて可能となる。よって、そのような評価を短時間で行うための新規の方法が求められる。このアプローチでは、高齢者に助言及び運動を与えるための協調的な方法を用意する必要がある。
【課題を解決するための手段】
【０００４】
本発明は、対象者の身体状況を判断するコンピュータ実施方法であって、対象者の栄養パラメータ及び身体持久力パラメータの分類システムを用意するステップと、対象者のパラメータの値を評価及び採点するステップと、得られた点数を使用して、対象者をそれぞれのパラメータに関するクラスに分類するステップと、各パラメータについて求められたクラスを使用して、対象者の身体状況を判断するステップとを含む方法に関する。
【０００５】
この方法の第１のステップでは、対象者が本発明の方法を受けるのに適しているか否かを判断できる。対象者は、高齢の対象者であり得、６５歳を超える人間の対象者であることが好ましい。身体状況は、対象者に所定の時間又は一定の距離を歩かせることによって評価できる。栄養パラメータは、ＭＮＡ及び／又は１日の蛋白質摂取量の評価によって評価できる。この方法のステップは、２０分以内又は９０分以内に実行でき、３０分未満で実行できることが好ましい。これらのステップは、既定の間隔で反復でき、８〜１６週間ごとに反復されることが好ましい。
【０００６】
さらなる実施形態では、本発明は、対象者の身体状況を向上させるコンピュータ実施方法であって、上述した方法のいずれかによって対象者の身体状況を判断するステップと、求められた点数に基づいて、栄養並びに身体持久力及び／又は抵抗力に関する推奨事項を対象者に提供するステップとを含み、栄養が、身体持久力を向上させる生体活性栄養素を含む方法に関する。
【０００７】
身体状況パラメータについて求められたクラスに基づいて、求められたクラスごとに異なる特定の運動プログラムを推奨することができる。
【０００８】
さらなる実施形態では、対象者の身体状況を判断する、コンピュータを備えるシステムであって、コンピュータが、対象者の栄養パラメータ及び身体持久力パラメータの分類システムを含むデータベースを格納し、コンピュータが、そのコンピュータに対象者のパラメータの値を受領及び格納させ、対象者のパラメータの値を採点させ、得られた点数を使用して対象者をそれぞれのパラメータに関するクラスに分類させ、クラスを出力させてそれによってクラスに基づいて対象者の身体状況を示させる命令を含むソフトウェアプログラムを格納するシステムである。
【０００９】
さらなる実施形態では、本発明は、対象者の身体状況の向上を促進する、コンピュータを備えるシステムであって、コンピュータが、対象者の栄養パラメータ及び身体状況パラメータの分類システムを含むデータベースを格納し、コンピュータが、そのコンピュータに対象者の前記パラメータの値を受領及び格納させ、対象者の前記パラメータの値を採点させ、得られた点数を使用して対象者をそれぞれのパラメータに関するクラスに分類させ、求められたクラスに基づいて、栄養並びに身体持久力及び／又は抵抗力に関する対象者への推奨事項を関連付けさせ、推奨事項を出力させる命令を含むソフトウェアプログラムを格納するシステムに関する。
【００１０】
さらなる実施形態では、本発明は、老人介護を個別化する方法であって、身体機能試験、及び選択された高齢患者個体群の全体的な身体状況の識別に対する身体機能試験の妥当性に関するデータベースを作成するステップと、データベースをコンピュータに格納するステップと、コンピュータに特定の高齢患者個体群の身体状況及び栄養状態に関する実施可能な機能試験の結果を判断させるコンピュータプログラムを実行するステップであり、試験結果が栄養及び身体状況に関するエンドポイントを含むステップと、エンドポイントを使用して、栄養及び運動の試験結果に基づいてガイドラインを生成するプログラムを実行するステップであり、ガイドラインを特定の高齢患者個体群のメンバーに対して栄養運動プログラムを個別化するために使用できるステップとを含む方法に関する。
【００１１】
少なくとも２つ又は３つの異なるプログラムが前記コンピュータによって使用され得る。コンピュータプログラムはコンピュータにより実行して、メンバーに対して栄養運動プログラムを個別化することができる。コンピュータプログラムは、身体状況をメンバーへの推奨事項に関連付け、それらの推奨事項を出力するステップをさらに含み得る。栄養運動プログラム中にメンバーを監視して、栄養及び身体状況を判断することができる。監視の結果に応じて、栄養運動プログラムを修正することができる。栄養運動プログラムは、メンバーの特定のニーズに適合した持久力及び抵抗力の運動プログラムであり得る。
【図面の簡単な説明】
【００１２】
【図１】人の身体状況が身体的状態及び栄養摂取に関して評価される仕組みを示す概略図である。これらの試験に続く分類に基づいて、さらなる訓練及び栄養介入のための個別の推奨を行うことができる。
【発明を実施するための形態】
【００１３】
定義
高齢の人／成人又は高齢者とは、６０歳を超える人と定義される。特に、高齢者は、６５歳超、７０歳超、７５歳超、８０歳超、８５歳超、又は９０歳超であり得る。また高齢者は、６０〜９０歳、６５〜９０歳、７０〜９０歳、７５〜９０歳、８０〜９０歳、８５〜９０歳、又は６０〜８５歳、６０〜８０歳、６０〜７５歳、６０〜７０歳、６０〜６５歳であり得る。上記のように定義される年齢の上限及び下限の任意の組み合わせも、本明細書で開示されると想定される。
【００１４】
約とは、特定の数値に対する範囲を規定するものと定義される。範囲は、特定の数値に対して＋／−１０％、＋／−７．５％、＋／−５％、＋／−２．５％、又は＋／−１％であり得る。
【００１５】
採点とは、対象者により実行された試験方法により取得された数値を追加の情報に関連付ける／変換する方法であり、追加の情報とは、通常はその対象者のその試験における成績に関する標準化された情報を与えるための追加の数値である。たとえば、対象者の歩行速度は２ｍ／秒であり得る。０〜１ｍ／秒の速度について、点数は１と定義されている。１ｍ／秒超〜２．５ｍ／秒までの速度について、得点は２と定義され、２．５ｍ／秒を超える速度について、点数は３と定義されている。よって、対象者の歩行速度は２と採点され得る。
【００１６】
身体活動準備アンケート（Ｐｈｙｓｉｃａｌ  Ａｃｔｉｖｉｔｙ  Ｒｅａｄｉｎｅｓｓ  Ｑｕｅｓｔｉｏｎｎａｉｒｅ；ＰＡＲ−Ｑ）とは、身体活動を高める前に医者の診断を受ける必要があるか否かを確認する、既成の公的に入手可能な１ページの書式である（２０１３年１月４日に検索されたｈｔｔｐ：／／ｗｗｗ．ｃｓｅｐ．ｃａ／ｃｍｆｉｌｅｓ／ｐｕｂｌｉｃａｔｉｏｎｓ／ｐａｒｑ／ｐａｒ−ｑ．ｐｄｆを参照）。
【００１７】
発明の詳細な説明
節見出しは主題を明確にする役割を果たすものであり、主題を限定するものと解釈されるべきではない。値の範囲が開示されている場合、個別の各値、特に各整数が、その範囲によって網羅されると考えられる。
【００１８】
発明の基本概念
本発明は、高齢者を力づけ、個別化された生活様式栄養プログラムを通じて生活の質と自立を高める、新しい統合された全体的アプローチに関する。本発明は、これらの目的を達成するためのツールに関する。特に、本発明の目的は、高齢の対象者の身体状況（及び栄養状態）を評価する試験システムを推奨して、個別化された訓練プログラムについての個別化された推奨事項及び栄養推奨事項を与えられるようにすることである。
【００１９】
第１の態様では、健康状態の個別の側面を評価するための多様な試験により、人、特に高齢者の健康状態を評価できるようにする方法が提供される。第２の態様では、これらの評価の結果を使用して、健康状態を向上させるための個別化された助言を被験者に提供する。
【００２０】
第１の態様の評価は、２つのパラメータを評価することにより行われる。これらのパラメータは、栄養及び身体機能性である。これらのパラメータの値は、それぞれの人に対して個別に求められる。求められた値により、人を採点して特定のクラスに分けることができる。グループごとに、第２の態様で、栄養訓練プログラムについての予め定められた助言を与えることができる。重要なのは、個人の筋力及び持久力を向上させることを目的とした訓練プログラムに関する推奨事項に基づいて、栄養ニーズを適応させる必要があるということである。さらに、栄養プログラムの選択により、訓練プログラムを適応させるための新たな可能性が開ける。よって、人の筋力又は持久力及び栄養ニーズの要因に関し、相互作用が存在する。健康状態に関する高齢者のニーズに対処するにあたり、これら３つの要因の間の相互関係が考慮されるのは、これが初めてである。さらに、推奨事項は、個人のニーズに合わせた個別化レベルで提供される。
【００２１】
本発明の方法の概要
上述したように、方法の始まりは、関連するパラメータ（身体状況、栄養摂取）を評価することである。
【００２２】
この評価の前に、本発明の評価方法に対する準備ができているかどうか、個人を個別に試験する場合がある（ＰＡＲ−Ｑアンケート又は虚弱指数による判断等によるプログラム準備の事前評価）。ＰＡＲ−Ｑ又は虚弱指数の結果に応じて、対象者は歩行試験（たとえば、４ｍの歩行試験）を行い、運動プログラムに従う能力に関連する歩行速度を評価する。
【００２３】
第１ステップで、患者が脆弱性の兆候を示しているか否かを判断するのが好ましい。この判断は、対象者が虚弱の兆候を示しているか否かを虚弱指数に従って判断することにより行うことができる。対象者が脆弱な患者の兆候を示していない場合、その対象者はユニバーサルガイドラインに沿った生活様式推奨事項を受けることができる。
【００２４】
人が脆弱な患者の兆候を示している場合、その人は、持久力（機能）試験及び栄養試験スクリーンである追加試験を受けることができる。これらの試験に基づき、特定の運動プログラム及び栄養推奨事項が示唆又は推奨される。
【００２５】
よって、本発明は、機能低下に陥る恐れがある人を支援することを目的とする。
【００２６】
よって、脆弱な患者の兆候を試験した後の体力評価は、歩行速度の評価である。達成された歩行速度に基づいて、対象者に異なる運動プログラムを推奨することができる。オプションで、対象者が機能試験の前年に転倒した場合、バランスモジュールを追加することができる。
【００２７】
体力評価に加えて、機能試験で識別された各グループに対して栄養スクリーン（たとえば、ＭＮＡ試験）を実行することができる。この栄養スクリーンに基づいて、栄養推奨事項を用意することができる。特に、経口栄養サプリメントを用意することができる。これらの経口栄養サプリメントは、蛋白質又は／及びビタミンＤを含み得る。
【００２８】
好ましい実施形態では、対象者を４つの異なる運動プログラムのいずれかに割り当て、栄養介入についての個人的な推奨事項を提供することができる。これらの運動プログラム及び栄養介入の形式については、後述する。
【００２９】
それぞれの人は、個別化された栄養運動プログラムに参加することができる。このプログラムは、８〜２６週間、１２〜２０週間、又は約１６週間続く。この個別化された栄養運動プログラムが完了した後、持久力評価及び栄養評価を含む主要評価をさらに実行することができる。このようにして、測定されるパラメータに関する人の進捗を求めることができる。進捗のレポートに基づき、個別化された栄養運動プログラムを修正又はキャンセルすることができる。よって、本発明の方法により、主要評価の結果に基づいて個別化された栄養運動プログラムを修正して、人に対する恩恵を最適化することができる。よって、一実施形態では、本発明は、主要評価の結果に基づいて個別化された栄養運動プログラムを選択し、規定の期間後にそのプログラムの効果を評価し、それらの再評価に基づいて個別化された栄養運動プログラムを修正する、反復的なプロセスに関する。最後の２つのステップは、少なくとも２回、３回、４回、５回、６回、７回、８回、９回、１０回、又はそれ以上実行できる。このフィードバックループの前に、方法は、人が主要評価に対して適格であるか否かを判断する事前評価を含み得る。
【００３０】
第１評価
第１評価試験は、人が主要評価方法を受けるのに適しているか否かを評価する方法である。第１評価試験は、通常、被験者に対する試験条件が緩い。試験は、脆弱な患者の兆候を識別する役割を果たす（図のステップ１を参照）。試験は、たとえば身体活動準備アンケートであり得、又は人の虚弱を判断する方法であることが好ましい。
【００３１】
身体活動準備アンケート（ＰＡＲ−Ｑ）は、推奨される試験及び運動が心臓の検知から医学的に安全であることをすばやく確認する役割を果たす試験である。ＰＡＲ−Ｑ試験は、脆弱な患者の兆候を識別する役割を果たすことができる（図のステップ１を参照）。ＰＡＲ−Ｑの結果に応じて、対象者は、歩行試験（たとえば、４ｍの歩行試験）を実行して、その身体能力の第１評価を行うことができる。対象者は、一定の距離を歩かなければならず、その際、その距離を通常の（心地良い）ペースで歩くことを求められる。人がその距離を歩いたときに測定された速度により、その人が主要評価方法に適格であるか否かを判断することができる。測定値が予め定められた下限よりも低い場合、その人は主要評価に対して適格ではない。それらの場合、その人は得てして脆弱であり、たとえば老人病専門医による詳しい診断を受ける必要がある。測定値が予め定められた上限より高い場合も、その人は主要評価に対して適格ではない。それらの場合、その人は通常十分に健常であり、よってその生活様式についてさらなる推奨事項を受ける必要はない。測定値が予め定められた下限と予め定められた上限との間である場合、その人は、主要評価に適している。
【００３２】
特定の実施形態では、歩行は２〜６ｍ、３〜５ｍ、又は４ｍの歩行であり得る。歩行は、４ｍの距離であることが好ましい。上述した下限は、０．４〜０．８ｍ／秒、０．５〜０．７ｍ／秒、又は０．６ｍ／秒であり得る。上述した上限は、１．３〜１．７ｍ／秒、１．４〜１．６ｍ／秒、又は１．５ｍ／秒であり得る。好ましい実施形態では、下限は０．６ｍ／秒であり、上限は１．５ｍ／秒である。
【００３３】
代替で、第１評価を脆弱な患者の兆候の識別に向けることがより好ましい。これは、技術分野において公知である脆弱試験を単純に使用することにより行うことができる。特に、ここでは、Ｍｏｒｌｅｙら（Ｊ  Ｎｕｔｒ  Ｈｅａｌｔｈ  Ａｇｉｎｇ、２０１２年７月、１６（７）：６０１〜８、「Ａ  ｓｉｍｐｌｅ  ｆｒａｉｌｔｙ  ｑｕｅｓｔｉｏｎｎａｉｒｅ（ＦＲＡＩＬ）ｐｒｅｄｉｃｔｓ  ｏｕｔｃｏｍｅｓ  ｉｎ  ｍｉｄｄｌｅ  ａｇｅｄ  Ａｆｒｉｃａｎ  Ａｍｅｒｉｃａｎｓ」）、Ｓｕｂｒａら（Ｔｈｅ  ｊｏｕｒｎａｌ  ｏｆ  ｎｕｔｒｉｔｉｏｎ、ｈｅａｌｔｈ  ＆  ａｇｉｎｇ、２０１２年１０月、Ｖｏｌｕｍｅ  １６、Ｉｓｓｕｅ  ８、ｐｐ  ７１４〜７２０「Ｔｈｅ  ｉｎｔｅｇｒａｔｉｏｎ  ｏｆ  ｆｒａｉｌｔｙ  ｉｎｔｏ  ｃｌｉｎｉｃａｌ  ｐｒａｃｔｉｃｅ：  Ｐｒｅｌｉｍｉｎａｒｙ  ｒｅｓｕｌｔｓ  ｆｒｏｍ  ｔｈｅ  Ｇｅｒｏｎｔｏｐｏｌｅ」）、又はＫａｌｙａｎｉら（Ｔｈｅ  ｊｏｕｒｎａｌ  ｏｆ  ｎｕｔｒｉｔｉｏｎ、ｈｅａｌｔｈ  ＆  ａｇｉｎｇ、２０１２年１０月、Ｖｏｌｕｍｅ  １６、Ｉｓｓｕｅ  ８、ｐｐ  ６７９〜６８６「Ｆｒａｉｌｔｙ  ｓｔａｔｕｓ  ａｎｄ  ａｌｔｅｒｅｄ  ｄｙｎａｍｉｃｓ  ｏｆ  ｃｉｒｃｕｌａｔｉｎｇ  ｅｎｅｒｇｙ  ｍｅｔａｂｏｌｉｓｍ  ｈｏｒｍｏｎｅｓ  ａｆｔｅｒ  ｏｒａｌ  ｇｌｕｃｏｓｅ  ｉｎ  ｏｌｄｅｒ  ｗｏｍｅｎ」）により開示される脆弱試験が考慮される。この第１評価の結果として、対象者を脆弱の兆候を示しているものとして特徴付けるか、又はそれらの兆候を示していないものとして特徴付けることができる。対象者が虚弱の兆候を示している場合、その対象者に主要評価を受けさせ、それによって対象者をさらなる下位クラスにグループ化又は採点することができる。対象者が虚弱の兆候を示していない場合、その対象者には運動プログラム（「グリーンプログラム」）についての推奨事項を直接提供することができる。オプションで、対象者の栄養状態も判断することができる。
【００３４】
追加評価
追加評価方法は、持久力評価方法及び栄養評価方法を含む。評価では、年齢、性別、試験を受ける人の既往歴の結果などの要因を考慮することもできる。これらの要因は、求められた試験値の採点に影響を与え得る。
【００３５】
持久力評価
持久力（機能性）評価方法は、対象者の持久力／機能的能力（たとえば、歩行等の日常生活作業の特定の活動を実行する能力）を評価する少なくとも１つの試験を含み得る。
【００３６】
機能性試験は、人を予め定められた時間又は特定の距離にわたり歩かせることにより持久力を求める少なくとも１つの方法を含み得る。好ましい持久力評価方法では、方法は歩行試験方法を含む。
【００３７】
好ましい方法では、人は４ｍを歩かなければならない。続いて、歩行速度が求められ、達成された歩行速度に応じて、対象者が特定のクラスに割り当てられる。対象者は、２つ、３つ、４つ、又は５つのクラスにグループ分けされ得る。よって、クラスは、達成された歩行速度の特定の上限及び下限により定義することができる。求められたクラスに基づいて、運動プログラムに関する推奨事項を作成することができる。クラスは３つであることが特に好ましい。クラスが３つである場合、境界／限度又はクラスは、歩行速度が１ｍ／秒超、１ｍ／秒未満、及びテストを完了できない対象者のクラスであり得る。対象者がグループ分けされるこれら３つのクラスに基づいて、運動プログラムを推奨することができる。グループが３つの場合、３つの異なる運動推奨事項を用意することができる（たとえば、歩行速度が１ｍ／秒超のグループ、１ｍ／秒未満のグループ、及びプログラムを完了できない対象者のクラスに対して、それぞれグリーンプログラム、イエロープログラム、及びレッドプログラムを指定）。
【００３８】
栄養評価
機能テストの対象となる、各対象者の栄養状態は、栄養評価によって評価することができる。特に有用なのは、簡易栄養状態評価表（Ｍｉｎｉ−Ｎｕｔｒｉｔｉｏｎａｌ  Ａｓｓｅｓｓｍｅｎｔ（ＭＮＡ））又は簡易栄養評価表の短縮書式（ＭＮＡ−ＳＦ、ｈｔｔｐ：／／ｗｗｗ．ｍｎａ−ｅｌｄｅｒｌｙ．ｃｏｍ／ｆｏｒｍｓ／ｍｉｎｉ／ｍｎａ＿ｍｉｎｉ＿ｅｎｇｌｉｓｈ．ｐｄｆを参照）などのアンケートである。
【００３９】
簡易栄養状態評価表（Ｍｉｎｉ−Ｎｕｔｒｉｔｉｏｎａｌ  Ａｓｓｅｓｓｍｅｎｔ；ＭＮＡ（登録商標））は、栄養失調であるか又は栄養失調に陥る恐れがある６５歳以上の高齢患者を識別できる、有効な栄養スクリーニング評価ツールである。ＭＮＡ（登録商標）は、約２０年前に開発され、高齢者のための最も有効な栄養スクリーニングツールである。当初は１８個の質問で構成されていたが、現在のＭＮＡ（登録商標）は６個の質問で構成され、スクリーニングプロセスを簡素化している。現在のＭＮＡ（登録商標）（たとえば、Ｓｋａｔｅｓ  ＪＪ、Ａｎｔｈｏｎｙ  ＰＳ．  Ｉｄｅｎｔｉｆｙｉｎｇ  ｇｅｒｉａｔｒｉｃ  ｍａｌｎｕｔｒｉｔｉｏｎ  ｉｎ  ｎｕｒｓｉｎｇ  ｐｒａｃｔｉｃｅ：ｔｈｅ  Ｍｉｎｉ  Ｎｕｔｒｉｔｉｏｎａｌ  Ａｓｓｅｓｓｍｅｎｔ（ＭＮＡ（登録商標））−ａｎ  ｅｖｉｄｅｎｃｅ−ｂａｓｅｄ  ｓｃｒｅｅｎｉｎｇ  ｔｏｏｌ  Ｊ  Ｇｅｒｏｎｔｏｌ  Ｎｕｒｓ  ２０１２；３８（３）：１８−２７；ｑｕｉｚ  ２８−２９及び２０１３年１月４日に検索されたｈｔｔｐ：／／ｗｗｗ．ｍｎａ−ｅｌｄｅｒｌｙ．ｃｏｍ／ｄｅｆａｕｌｔ．ｈｔｍｌを参照）は、栄養失調であるか又は栄養失調に陥る恐れがある高齢者を識別することにおいて、当初のＭＮＡ（登録商標）の有効性及び精度を維持している。改定されたＭＮＡ（登録商標）Ｓｈｏｒｔ  Ｆｏｒｍは、介入へのつながりが簡素化且つ迅速化されており、現在は臨床用ＭＮＡ（登録商標）の好ましい書式である。
【００４０】
ＭＮＡ−ＳＦを対象者に適用するのが特に好ましい。
【００４１】
ＭＮＡ−ＳＦは、５つの要因、すなわち過去３か月間の食物摂取量の低下、過去３か月間の体重減少、機動性、過去３か月間に経験した精神的ストレス又は急性疾患、及び神経心理学上の問題と、１つの要因、すなわち肥満度指数（ｂｏｄｙ  ｍａｓｓ  ｉｎｄｅｘ；  ＢＭＩ）又は利用できない場合はふくらはぎの周囲長とを考慮する。ＭＮＡ−ＳＦの採点結果に基づいて、対象者を「通常の栄養状態」クラス又は「栄養失調の恐れ」／「栄養失調」クラスにグループ化することができる。
【００４２】
追加の評価
主要評価では、筋力、年齢、性別、体重、身長、試験を受ける人の既往歴など、他のパラメータを考慮することも含み得る。
【００４３】
運動プログラムの推奨
これまでのステップで求められた点数に基づいて、対象者に対して運動プログラムを選択又は推奨する。低い点数は、負荷の小さい運動プログラムに関連付けられ、高い点数は、負荷の大きい運動プログラムの選択又は推奨につながる。対象者が脆弱な患者の兆候を示さず、４ｍの歩行を１ｍ／秒超の速度でこなし、通常の栄養状態を示している場合、その対象者はユニバーサルガイドラインに沿った生活様式の推奨事項を受けることができる（指定：ホワイト運動プログラム）。
【００４４】
対象者が脆弱な患者の兆候を示しながらも４ｍの歩行を１ｍ／秒超の速度でこなす場合、以下の（指定：グリーン）運動プログラムが示され得る。このプログラムは、週（ｗｋ）に３〜６日（ｄ）の有酸素（持久力）運動（複数可）（例：歩行、ダンス、水泳、体育用具）を含み得る。また、このプログラムは、週（ｗｋ）に１０回の筋力運動（たとえば、下半身のウェイト運動、手のウェイト５ポンド（３ｋｇ）、足首のウェイト）も含み得る。有酸素訓練は１５０分／ｗｋまで、筋力運動は２〜３ｄ／ｗｋまで進めることができる。強度も進めることができる（認識される相対強度）。運動は、記録小冊子を通じて監視することができる。通常、グリーンプログラムは中程度から高い強度までで実行される。
【００４５】
対象者が脆弱な患者の兆候を示し、４ｍの歩行を１ｍ／秒未満で成し遂げる場合、以下の運動プログラムが示され得る（指定：イエロー運動プログラム）。このプログラムは、有酸素（持久力）運動（例：歩行、ダンス）を含む。プログラムは、週５回の筋力運動（下半身のウェイト運動）をさらに含み得る。有酸素訓練は７５分／ｗｋまで、筋力運動は３ｄ／ｗｋまで進めることができる。目標は、グリーンプログラムに進むことである。
【００４６】
運動は、記録小冊子を通じて監視することができる。通常、イエロープログラムは中程度の強度で実行される。
【００４７】
対象者が脆弱な患者の兆候を示し、４ｍの歩行を行えないか、歩けないか、車いすを利用しているか、又は寝たきりの場合、以下の運動プログラムが示され得る（指定：レッド運動プログラム）。このプログラムは、有酸素（持久力）運動（例：低速の歩行、ゆっくりしたダンス。ただし可能な場合）を含む。また、週２回の筋力運動（下半身のウェイト運動）も含み得る。
【００４８】
目標は、イエロープログラムに進むことである。
【００４９】
運動は、記録小冊子を通じて監視することができる。通常、レッドプログラムは低い強度で実行される。
【００５０】
負荷の大きい運動とは、負荷の小さい運動に比べて、より長い時間がかかり、又は／及びより高い強度レベルで行われ、又は／及び予め定められた固定時間内により頻繁に反復される運動である。また、通常の運動プログラムに比べて短い時間に高い強度で実行される運動である「課題」を実行することもできる。
【００５１】
対象者をシステムに分類するために複数の試験が使用されている場合、点数は異なる可能性がある。これらは、身体の異なる被試験領域間の身体的なアンバランスを示している可能性がある。その場合、運動ユニットは、より弱い身体状況を示す身体領域を訓練するように構成され得る。
【００５２】
栄養の推奨
栄養状態について得られたクラスに基づき、特定の栄養推奨事項を個人に提供することができる。栄養推奨事項は、人の身体可動性にとって重要な身体パラメータを維持又は向上させることを目的とする。特に、これらの身体パラメータは、骨量、筋肉量、筋力、及び関節の完全性である。よって、栄養は、完全な栄養の形式と補助的な栄養剤の形式の両方で、生物活性栄養素を含んでいる必要がある。本発明の生物活性栄養素は、骨量、筋肉量、筋肉強度、関節の完全性を維持する効果を有し、すなわち、関節を保護し、及び／又は人の快適さを向上させる。生物活性栄養素の例として、蛋白質補給の増加、特定の蛋白質サプリメント（乳清蛋白質など）、カルシウム、ビタミンＤなどがある。
【００５３】
対象者が「通常の栄養状態」グループに採点され得る場合、通常の食事を推奨することができる。一方、対象者が「栄養失調の恐れ」／「栄養失調」グループに採点され得る場合、そのような対象者のニーズに適合した食事を推奨することができる。特に、完全な経口栄養サプリメント（ｏｒａｌ  ｎｕｔｒｉｔｉｏｎａｌ  ｓｕｐｐｌｅｍｅｎｔ；ＯＮＳ）を推奨することができる。好ましい実施形態では、このＯＮＳは（補助的な）蛋白質及び／又はビタミンＤを含む。
【００５４】
コンピュータ実施方法及びシステム
データの受領、処理、及び出力に関する上述した方法のすべては、ソフトウェアプログラムとして実施し、コンピュータで実行することができる。
【００５５】
本発明は、対象者の身体状況を判断するコンピュータ実施方法であって、対象者の栄養パラメータ及び身体持久力パラメータの分類システムを用意するステップを含み、分類システムが、パラメータの数値的に求められた値にその値の点数を関連付け、またシステムが、点数にクラスを関連付け、システムが、クラスに特定の身体状況の表示を関連付け、対象者の機能的身体試験により求められたパラメータの値を入力し、その値を使用してデータベースに応じて各パラメータのそれらの値を採点し、得られた点数を使用して対象者をデータベースに応じて各パラメータに関するクラスに分類し、各パラメータについて求められたクラスを使用して対象者の身体状況の表示を求め、対象者の身体状況の表示を出力する方法に関する。
【００５６】
対象者は、高齢の対象者であり得、６５歳を超える人間の対象者であることが好ましい。持久力パラメータは、少なくとも１つの持久力試験により評価することができる。持久力試験は、歩行試験で達成された距離の測定からなるグループより選択できる。
【００５７】
栄養パラメータは、少なくとも１つの栄養試験により評価することができる。栄養試験はＭＮＡであり得る。
【００５８】
コンピュータ実施方法は、追加のステップを含み得る。よってデータベースは、求められたクラスに基づいて、栄養、身体持久力、及び任意で筋力に関する対象者への推奨事項も含む可能性がある。よって方法は、求められたクラスに特定の推奨事項を関連付け、それらの推奨事項を出力するステップも含む可能性がある。
【００５９】
運動プログラムは、求められたクラスごとに異なる可能性があるが、個人の嗜好にも応じ得る。
【００６０】
さらなる実施形態では、対象者の身体状況を判断する、コンピュータを備えるシステムが開示される。コンピュータは、対象者の栄養及び身体状況の各パラメータについての分類システムを含むデータベースを格納する。コンピュータは、コンピュータに対象者のパラメータの値を受領及び格納させ、対象者のパラメータの値を採点させ、得られた点数を使用して対象者をそれぞれのパラメータに関するクラスに分類させ、クラスに基づいて対象者の身体状況の値を計算させる命令を含むソフトウェアプログラムを格納する。
【００６１】
さらに、対象者の身体状況の向上を促進する、コンピュータを備えるシステムが開示される。コンピュータは、対象者の栄養及び身体状況の各パラメータについての分類システムを含むデータベースを格納する。コンピュータは、対象者の栄養、及び身体状況の各パラメータについての分類システムを含むデータベースを格納する。コンピュータは、コンピュータに対象者のパラメータの値を受領及び格納させ、対象者のパラメータの値を採点させ、得られたスコアを使用して対象者をそれぞれのパラメータに関するクラスに分類させ、クラスに基づいて対象者の身体状況の値を計算させ、身体状況の値を対象者に対する特定の推奨事項と関連付けさせ、求められたクラスに基づいて栄養、身体持久力、及び任意で筋力に関する対象者への推奨事項を出力させる命令を含むソフトウェアプログラムを格納する。
【００６２】
さらなる実施形態では、老人介護を個別化する方法は、身体機能試験、及び選択された高齢患者個体群の全体的な身体状況の識別に対する身体機能試験の妥当性に関するデータベースを作成するステップと、データベースをコンピュータに格納するステップと、コンピュータに特定の高齢患者個体群の持久力に関する実施可能な機能試験の結果を判断させるコンピュータプログラムを実行するステップであり、試験結果が栄養及び身体状況に関するエンドポイントを含むステップと、エンドポイントを使用して、栄養及び身体試験結果に基づいてガイドラインを生成するプログラムを実行するステップであり、ガイドラインを特定の高齢個体群のメンバーに対して栄養運動プログラムを個別化するために使用できるステップとを含む。
【００６３】
少なくとも２つ又は３つの異なるプログラムがコンピュータによって使用される。
【００６４】
コンピュータプログラムをコンピュータにより実行して、メンバーに対して栄養運動プログラムを個別化することができる。コンピュータプログラムは、身体状況をメンバーへの推奨事項に関連付け、それらの推奨事項を出力するステップをさらに含み得る。栄養運動プログラム中にメンバーを監視して、栄養及び身体状況を求めることができる。監視の結果に応じて、栄養運動プログラムを修正することができる。運動プログラムは、メンバーの特定のニーズに適合した持久力及び筋力の運動プログラムであり得る。
【００６５】
例
例：アルゴリズム
本発明の実践で使用されるアルゴリズムの概要を、本例が参照する図に示す。
【００６６】
患者は、最初に、脆弱性の兆候を示しているか否か、又はそれがどの程度であるかを試験され得る。
【００６７】
患者が脆弱性の兆候を示していない場合、ホワイトプログラム（現時点で活発及び健康）が意図された運動プログラムである。現時点で活発な患者は、ユニバーサルガイドラインに沿った生活習慣推奨を受ける。
【００６８】
患者が脆弱性の兆候を示している場合、その患者は持久力試験（たとえば、４ｍの歩行等の機能試験）を受けることができる。
【００６９】
患者が４ｍの歩行を１ｍ／秒超の速度でこなす場合、グリーン運動プログラムが示され得る。
【００７０】
このグリーンプログラムは以下を含む。
３〜６ｄ／ｗｋの有酸素（持久力）運動（例：歩行、ダンス、水泳、体育用具）
週（ｗｋ）に１０回の筋力運動（下半身ウェイト運動、手のウェイト５ポンド（３ｋｇ）、足首のウェイト）
【００７１】
有酸素訓練は１５０分／ｗｋまで、筋力運動は２〜３ｄ／ｗｋまで進めることができる。
【００７２】
強度も進めることができる（認識される相対強度）。運動は、記録小冊子を通じて監視することができる。通常、グリーンプログラムは中程度から高い強度までで実行される。
【００７３】
４ｍの歩行が１ｍ／秒未満で成し遂げられる場合、イエロープログラムが示される。
【００７４】
このイエロープログラムは以下を含む。
酸素（持久力）運動（例：歩行、ダンス）
週５回の筋力運動（下半身のウェイト運動）
【００７５】
有酸素訓練は７５分／ｗｋまで、筋力運動は３ｄ／ｗｋまで進めることができる。
【００７６】
目標は、グリーンプログラムに進むことである。
【００７７】
運動は、記録小冊子を通じて監視することができる。通常、イエロープログラムは中程度の強度で実行される。
【００７８】
対象者が４ｍの歩行を行えないか、歩けないか、車いすを利用しているか、又は寝たきりの場合、レッドプログラムが示される。
【００７９】
このレッドプログラムは以下を含む。
有酸素（持久力）運動（例：低速の歩行、ゆっくりしたダンス。ただし可能な場合）
週２回の筋力運動（下半身のウェイト運動）
【００８０】
目標は、イエロープログラムに進むことである。
【００８１】
運動は、記録小冊子を通じて監視することができる。通常、レッドプログラムは低い強度で実行される。
【００８２】
栄養介入は、栄養パラメータについて求められた値に依存する。
【００８３】
栄養状態の評価（栄養十分、栄養失調の恐れ、栄養失調）は、ＭＮＡを使用して評価することができる。
【００８４】
値が平常と考えられる場合、通常の食事を推奨することができる。栄養失調の恐れがあるか、又は栄養失調である患者には、たとえば補助的な蛋白質又はビタミンＤを含む完全な経口栄養サプリメント（ＯＮＳ）を推奨することができる。
【図１】
0006554701.tif 000002